(57)【特許請求の範囲】
【請求項１】
構造物の壁面に固着したピースに着脱自在に取り付けられ、当該壁面に対向して配置した足場板を支持する足場用取付装置において、足場支持枠と、足場支持枠の外端側に回転自在に軸支した手摺支柱と、足場支持枠の基端側に回転自在に軸支した荷重支持枠と、足場支持枠と荷重支持枠間に一端が足場支持枠に回転自在に枢着され且つ他端が荷重支持枠の任意の位置に回転自在に枢着されながら架設された伸縮自在な角度調整枠と、荷重支持枠の基端側に設けられて上記ピースに着脱自在に引っ掛けられる取付部材と、同じく荷重支持枠の基端側に上記取付部の下部に対向してそれぞれ設けた上下移動自在な抜け止め用のストッパ及びこのストッパの下方への回転を規制するストップピンとからなり、上記取付部を上記ピースに取付ける時上記ストッパを当該ピースと干渉しない位置に押し上げておき、上記取付部をピースに引っ掛けた後には上記ピースと干渉する位置まで下降させることを特徴とする足場用取付装置。
【請求項２】
角度調整枠がアウターチューブとアウターチューブ内にスライド自在に挿入したインナーチューブと、インナーチューブの先端に回転自在に軸支したガイド筒からなり、アウターチューブの基端部を足場支持枠に回転自在に軸支し、ガイド筒を荷重支持枠にスライド自在に挿入しながら任意の位置でピン結合させている請求項１記載の足場用取付装置。
【請求項３】
ガイド筒の外側面に荷重受け用のクッション部材を設けている請求項２記載の足場用取付装置。
【請求項４】
取付部材が松葉状のフックであり、ストッパが胴部に形成した長孔と下部に形成したカム状に彎曲したガイド面とを備えると共に上記長孔内に設けたガイドピンで上下移動自在に支持されている請求項１、２または３記載の足場用取付装置。
【発明の詳細な説明】
【０００１】
【発明の属する技術分野】
本発明は、主に球形タンク等の構造物のメンテナンス用、検査用に使用される足場板受け用の足場取付装置にかかり、特に従来の足場板受け用のブラケットに比べ、折り畳み可能とした点で、タンク等のマンホールから出し入れすることが容易となり、保管、運搬の面で従来品より飛躍的に優れ、また、角度調整及び取り付けの簡素化を可能とする足場取付装置に関するものである。
【０００２】
【従来の技術】
大規模なタンクや船舶の建造、保守、点検等および、高速道路の擁壁工事、宅地開発の石積施工、あるいは大規模なダムの打設工事等において、所定の法面や鉛直面に沿って、架設足場を設置して作業を行うのが一般的である。
【０００３】
特に、球形タンクの溶接、ひび等の保守、点検においては、一定の曲面を形成したタンク内壁等に多数の骨材や足場ピースを取り付け、更にその骨材や足場ピースに足場を取り付けて作業を行うが、従来の足場取り付け手段としては、例えば実公平１−１３１３５号公報に開示されているように、骨材や足場ピースに係止孔を設けてボルトで固定する方法や、実公昭５７−４８９１８号公報に開示されているように、骨材をボルトで挟持し固定する方法が取られている。これらのいずれの方法においても、上記のように一定の曲面を形成した構造物壁面に取り付ける関係上足場が傾斜していると作業者の安全性が図れないので、この足場を水平に取り付ける必要がある。
【０００４】
そこで、水平を保つための手段としては、足場固定治具本体に回転軸を設け足場用の支持枠等を回転自在に取り付け、その回転軸から、同一半径の回転方向に沿う同一軌跡上に複数の係止孔を隔設し、前記足場用支持枠等にも対応する係止孔が設けて、該足場固定治具本体のいずれかの係止孔と足場用支持枠の係止孔とを符合させて、該符合させた係止孔にボルトを挿入する方法で角度調節していた。
【０００５】
更に、従来品は、複数の独立した部品を作業現場でその都度組み立てて使用するのが一般的である。
【０００６】
【発明が解決しようとする課題】
しかしながら、上記従来の足場用取付装置は、、取り付け手段をボルト操作によって行い、また独立した部品をその都度作業現場で組み立てるものであるから、取り付けに不便であり、取り付け作業に時間がかかり、作業効率が悪かった。
【０００７】
そこで、足場用取付装置をあらかじめ一体に組付けておけば取付作業の効率化が図れ、格納、運搬も一度に行えるが、が逆に体積が嵩張り、格納スペースに制約される結果多数の足場用取付装置を一度に格納したり運搬したり出来なくなる不具合が発生する。
【０００８】
さらに足場用取付装置を一体に組付けた場合、球形タンクの入り口の狭いマンホールやビルディングの入り口の狭いドアから出し入れ出来ない不具合も発生する。
【０００９】
また、足場支持枠等の角度調節も同様にボルト操作によって行っているが、角度調節が足場固定治具本体に設けられた係止孔に依存し、該足場固定治具本体の強度との関係上、係止孔の数は限られたものとなるので、微細で多段階の角度調節が困難であった。
【００１０】
つまり、従来の足場板受け用ブラケットの欠点は、取り付けに不便であり、取り付け作業に時間がかかり、作業効率が悪く、微細で多段階の角度調節が困難であり、タンク等のマンホールから出し入れや保管、運搬の面で不便であるということである。
【００１１】
そこで、本発明は、上記した従来技術の欠点を除くためになされたものであって、その目的とするところは、構造物に対する着脱が容易であり、微細で多段階に角度調整でき、保管、運搬が容易な足場用取付装置を提供することである。
【００１２】
【課題を解決するための手段】
上記の目的を達成するため、本発明の基本的な手段は、 構造物の壁面に固着したピースに着脱自在に取り付けられ、当該壁面に対向して配置した足場板を支持する足場用取付装置において、足場支持枠と、足場支持枠の外端側に回転自在に軸支した手摺支柱と、足場支持枠の基端側に回転自在に軸支した荷重支持枠と、足場支持枠と荷重支持枠間に一端が足場支持枠に回転自在に枢着され且つ他端が荷重支持枠の任意の位置に回転自在に枢着されながら架設された伸縮自在な角度調整枠と、荷重支持枠の基端側に設けられて上記ピースに着脱自在に引っ掛けられる取付部材と、同じく荷重支持枠の基端側に上記取付部の下部に対向してそれぞれ設けた上下移動自在な抜け止め用のストッパ及びこのストッパの下方への回転を規制するストップピンとからなり、上記取付部を上記ピースに取付ける時上記ストッパを当該ピースと干渉しない位置に押し上げておき、上記取付部をピースに引っ掛けた後には上記ピースと干渉する位置まで下降させることを特徴とするものである
【００１３】
この場合、 角度調整枠がアウターチューブとアウターチューブ内にスライド自在に挿入したインナーチューブと、インナーチューブの先端に回転自在に軸支したガイド筒からなり、アウターチューブの基端部を足場支持枠に回転自在に軸支し、ガイド筒を荷重支持枠にスライド自在に挿入しながら任意の位置でピン結合させているのが好ましい。
同じく、 ガイド筒の外側面に荷重受け用のクッション部材を設けているのが好ましい。
さらに、上記構成に加えて、取付部材が松葉状のフックであり、ストッパが胴部に形成した長孔と下部に形成したカム状に彎曲したガイド面とを備えると共に上記長孔内に設けたガイドピンで上下移動自在に支持されているのが好ましい。
【００１４】
【発明の実施の形態】
以下、本発明を図面に示す実施の形態に基づいて説明する。図１において、本発明にかかる足場用取付装置は、「請求項１」のものである。以下更に詳しく説明する。
【００１５】
図１、図５に示すように、足場支持枠１は構造物の壁面の角度に関係なく常に水平に配置されるもので、その上面に長手方向に沿うように足場板を載置させるものである。
【００１６】
この足場支持枠１は長尺な枠本体１ａからなり、この枠本体１ａの基端側と中間近傍に下方に向けて小ブラケット６ａ、９ａを設け、外端側に略L字状のブラケット１０ａを設けている。Ｌ字状ブラケット１０ａは上下に沿って一対の係止孔１０ｅを備えている。Ｌ字状ブラケット１０ａには、上方の係止孔１０ｅに挿入した軸１０ｄを介して手摺支柱５の基端が回転自在に軸支され、この軸１０ｄを介して図５に示すように手摺支柱５が矢印Ｆ下方向に回転するようになっている。
【００１７】
手摺支柱５は支柱本体５ａと、本体５ａの基端側に形成した上下一対の係止孔５ｂ、５ｂと、本体５ａの上端部に設けた支持環１１ｂとを備えている。手摺支柱５は上記のように上下一対の係止孔１０ｅ、１０ｅ、５ｂ、５ｂに軸１０ｄと紐１０ｃに結合されているピン１０ｂを挿入したとき上下に二点支持されて図１のように垂直に起立して保持されている。更に、下方のピン１０ｂを抜いたときに図５のように矢印Ｆ方向に回転させ、図２に示すように足場支持枠１上に重ねて折り畳むようにしている。支持環１１には水平方向に伸びる手摺パイプまたは、ロープが挿入されるようになっている。
【００１８】
荷重支持枠２は枠本体２ａと本体２ａの軸方向に沿って隔設した多数の係止孔２ｂと、本体２ａの上端に設けた小ブラケット７ａとを備えている。小ブラケット７ａは足場支持枠１の基端側小ブラケット６ａに対して軸６ｂを介して回転自在に軸支されている。小ブラケット６ａ、７ａと軸６ｂとでヒンジを構成し、荷重支持枠２は上記軸６ｂを中心にして図５に示すように垂直位置から矢印Ａ方向に回転し、構造物Ｂの壁面１２の角度に追従し、合わせて図５に示すように足場支持枠１の下方に重ねて折り畳み出来るようになっている。多数の係止孔２ｂは軸方向に沿う長孔であっても良い。
【００１９】
角度調整枠Ｓは図１、図３に示すようにアウターチューブ３ａとアウターチューブ３ａ内にスライド自在に挿入したインナーチューブ４ａとからなり、アウターチューブ３にはチューブ枠内に軸方向に沿う抜け止めリング３ｄと係止孔３ｅが形成され、インナーチューブ４ａには軸方向に沿って隔設された多数の係止孔４ｂと先端側の抜け止めピン４ｅが設けられている。
【００２０】
アウターチューブ３に挿入したインナーチューブ４ａは、アウターチューブ３の内周に沿って伸縮自在に案内されるとともに、最大ストローク時には抜け止めピン４ｅが抜け止めリング３ｄの端部に当接して抜け止めが図られている。
【００２１】
更に、アウターチューブ３の係止孔３ｅから、挿入した係止ピン３ｂにインナーチューブ４ａ側のいずれか一つの係止孔４ｂに挿入することによりこの係止孔４ｂの位置に対応した長さに角度調整枠Ｓの長さが設定され、後述するようにこの角度調整枠Ｓの長さに対応して荷重支持枠２の傾斜角が設定されるようになっている。
【００２２】
角度調整枠Ｓの上端は足場支持枠１側に小ブラケット９ａに対して軸９ｂにより回転自在に軸支されている。
【００２３】
更に、インナーチューブ４ａの端部には軸８ｂを介して小ブラケット８ｆが回転自在に軸支され、ガイド筒８とガイド筒８ａの側面に設けたクッション部材が連接されている。
【００２４】
ガイド筒８ａは荷重支持枠２の本体２ａにスライド自在に挿入され、ガイド筒８ａの係止孔８ｇから挿入した係止ピン８ｅを荷重支持枠２側の任意の係止孔２ｂの一つに選択的に挿入するようになっている。係止孔２ｂを長孔としたときは係止ピンをボルトとナットに置き換え、長孔の任意の位置でボルトを締結すればよい。
【００２５】
クッション部材８ｃは、構造物Ｂの壁面１２に当接し、後述する取付部材と協働して荷重支持枠２を壁面１２に対して上下二点支持している。クッション部材８ｃは、構造物壁面に取付けられたときに構造物壁面を傷つけないと共に、滑り止めとしても機能し足場用取付装置を該構造物壁面に対し垂直に安定的に保持する効果がある。
【００２６】
取付部材は、図１、図４に示すように断面松葉状フック７ｂからなり、このフック７ｂの内側面が上記小ブラケット７ａの外面に溶接等で固定されている。
【００２７】
フック７ｂは断面Ｕ字状、コ字状または釣針状であっても良い。
フック７ｂは構造物の壁面１２にあらかじめ固着されている平面コ字状の枠体からなるピース１３に挿入して引っ掛けるようになっている。
【００２８】
更に、荷重支持枠２の小ブラケット７ａには図１、図４に示すようにストッパ７cとガイドピン７ｄとストップピン７ｅとが設けられている。ストッパ７ｃは、胴部に長孔７ｆを下部にカム状の彎曲したガイド面７ｇを備え、このストッパ７ｃは、フック１３の下方に配置されている。
【００２９】
次に作動について述べる。保守、点検する球形タンク、船舶、ビルディング等の構造物の壁面１２に対して、足場板を設置するとき、足場支持枠１は常に水平に配置され、荷重支持枠２を壁面の角度に沿って配置する。
【００３０】
例えば、壁面が垂直の場合は、図５のように荷重支持枠２は垂直となり、図１のように壁面１２が傾斜しているときには、この傾斜に沿って配置される。
【００３１】
図１のように、足場取付装置全体を配置するにはフック７bをピース１３に引っ掛けて行う。
【００３２】
この場合は、フック７ｂをピース１３に引っ掛けるときは荷重支持枠２を壁面１２に沿って下降させるが、この時ストッパ７ｃはピース１３によってガイド面７ｇを介して押し上げられるのでストッパ７ｃに影響されることなく荷重支持枠２を下降できる。
【００３３】
フック７ｂがピース１３に引っ掛けられたあとにはストッパ７ｃは自重により長孔７ｆとガイドピン７ｄに案内されて下降し、ストップピン７ｅで脱落が防止される。このため、ストッパ７ｃは、ピース１３の下方に位置し、振動その他の負荷で、荷重支持枠２が押し上げられても、このストッパ７ｃがピース１３に引っ掛けられ、しかも、ストッパ７ｃは、ストップピン７ｅで回転が規制されているので、荷重支持枠２が上方に抜け出ることも無い。
【００３４】
次に、足場支持枠１と壁面に対して水平状態を保持するために角度調整枠Ｓを伸縮させ且つガイド筒８ａをスライドさせ、足場支持枠１が水平状態になった位置でそれぞれの係止孔４ｂ、２ｂに係止ピン３ｂ、８ｅを挿入して角度調整枠Ｓの長さとガイド筒８ａの位置を固定する。
【００３５】
この状態で手摺支柱５を垂直に起立し、係止ピン１０ｂを係止孔５ｂに挿入することにより手摺支柱５は上下二点支持され垂直状態を保つ。
【００３６】
他方、足場取付装置全体を撤去する場合には、指でストッパ７ｃを押し上げ、このストッパ７ｃをピース１３と干渉しないように保持しながら荷重支持枠２を上方に押し上げフック７ｂをピース１３から外す。
【００３７】
次に撤去した足場取付装置全体を折り畳む場合には、まず、係止ピン１０ｂを抜いて手摺支柱５ａを、軸１０ｄを中心に図５の矢印下方向に回転し、これを足場支持枠１上に折り畳んで重ねる。
【００３８】
次に、角度調整枠Ｓ側の係止ピン３ｂを抜き、合わせてガイド筒８の側の係止ピン８ｅを抜き出す。これにより、角度調整枠Ｓは図５に示すように軸９ｂを中心に矢印Ｃ方向に回転でき、併せて荷重支持枠２は軸６ｂを中心に矢印Ａ方向に回転できる。これにより、角度調整枠Ｓを矢印Ｃ方向に手動で回転させると、これに引っ張られて荷重支持枠２が回転し、インナーチューブ４ａが伸張し同時にガイド筒８ａが下方にスライドし、最後にはガイド筒８ａは荷重支持枠２から抜ける。
【００３９】
この状態で、図２に示すように、軸９ｂを支点にして角度調整枠Ｓを回転して足場支持枠１の下方に重ねて折り畳む。
【００４０】
次に荷重支持枠２を軸６ｂを中心にして回転し、これを角度調整枠Ｓの下方に重ねて折り畳むものである。
【００４１】
このようにコンパクトに全体を折り畳むことにより、狭いマンホール等の入り口からも簡単に出し入れでき、格納、運搬も収納スペースに規制されること無く行える。
【００４２】
【発明の効果】
本発明は、請求項１の発明によれば、足場支持枠に対して荷重支持枠と角度調整枠とが回転自在に軸支され、角度調整枠が伸縮自在で荷重支持枠に回転自在に枢着され、同じく手摺支柱が足場支持枠に回転自在に軸支されているから、これらの軸支部分を支点に折り曲げることにより全体をコンパクトに折り畳むことが出来る。
【００４３】
このため、従来品より、タンク等のマンホールから出し入れすることが容易となり、保管、運搬の面で従来品より飛躍的に利便性を向上させる効果がある。
同じく、荷重支持枠と足場支持枠の成す角度が、荷重支持枠に角度調整枠を任意の位置に着脱可能に係止可能とし、且つ、角度調整枠の長さを任意の長さに調整可能とすることにより、従来品より、微細で多段階に調節可能となる効果がある。
更に、取付部材がピースに引っ掛けられたあとにはストッパはピースと干渉する位置まで下降する。このため、ストッパは、振動その他の負荷で、荷重支持枠が押し上げられても、このストッパがピースに引っ掛けられ、しかも、ストッパは、ストップピンで回転が規制されているので、荷重支持枠が上方に抜け出るが無い。
【００４４】
請求項２の発明によれば、角度調整枠がアウターチューブとアウターチューブ内にスライド自在に挿入したインナーチューブと、インナーチューブの先端に回転自在に軸支したガイド筒からなり、アウターチューブの基端部を足場支持枠に回転自在に軸支し、ガイド筒を荷重支持枠にスライド自在に挿入しながら任意の位置でピン結合させていることにより角度調整の作業を容易にできるという効果がある。
【００４５】
請求項３の発明によれば、ガイド筒の外側面に荷重受け用のクッション部材を設けている足場用取付装置が構造物壁面に取り付けられたときに構造物壁面を傷つけないと共に、滑り止めとしても機能し足場用取付装置を該構造物壁面に対し垂直に安定的に保持する効果がある。
【００４６】
請求項４の発明によれば、取付部材を松葉状のフックとしているので、ワンタッチで足場用取付装置の構造物壁面への取付作業を行え、作業効率を向上させる効果があり、荷重支持枠の上部に取付部材の下部に対向して脱落防止具を設けたことにより、構造物壁面から足場用取付装置が脱落するのを防止できる効果がある。
【図面の簡単な説明】
【図１】足場用取付装置の使用時における側面図である。
【図２】足場用取付装置を折り畳んだ状態の側面図である。
【図３】アウターチューブにインナーチューブを挿入した状態における図である。
【図４】荷重支持枠を構造物壁面取り付けた状態における取り付け部分の拡大図である。
【図５】足場用取付装置の折り畳み方向を示す図である。
【符号の説明】
１        足場支持枠
２ａ      荷重支持枠
２ｂ      係止孔
３ａ      アウターチューブ
３ｂ      係止ピン
３ｃ      紐
３ｄ      抜け止めリング
３ｅ      係止孔
４ａ      インナーチューブ
４ｂ      係止孔
４ｅ      抜け止めピン
５ａ      手摺支柱
５ｂ      係止孔
６ａ      小ブラケット
６ｂ      軸
７ａ      小ブラケット
７ｂ      フック
７ｃ      ストッパ
７ｄ      ガイドピン
７ｅ      ストップピン
７ｇ      ガイド面
７ｆ      長孔
８ａ      ガイド筒
８ｂ      軸
８ｃ      クッション部材
８ｄ      アダプター
８ｅ      係止ピン
８ｆ      紐
８ｇ      係止孔
９ａ      小ブラケット
９ｂ      軸
１０ａ    小ブラケット
１０ｂ    ピン
１０ｃ    紐
１０ｄ    軸
１０ｅ    係止孔
１１ｂ    支持環
１２      構造物壁面
１３      足場ピース
Ｂ        構造物
Ｓ        角度調整枠
【図１】
0003913584.tif 000002
【図２】
0003913584.tif 000003
【図３】
0003913584.tif 000004
【図４】
0003913584.tif 000005
【図５】
0003913584.tif 000006